(57)【要約】【課題】装置を複雑化、コスト高にすることなく、効果の高い見え方の比較を実現し、近用での見え方比較も可能にする。【解決手段】固視標呈示光学系３０のレンズ３２を移動することにより、固視標３４の呈示位置を、他覚測定値の等価球面度数又は強主経線の球面度数を矯正した状態に相当する位置と非矯正状態に相当する位置とに切り換える切換手段を持ち、被検眼に見え方の比較を体感させる。切換手段を使用するときの固視標３４の基準位置は、遠用位置と近用位置とに変更可能である。【選択図】　　　図２
2004129711.tif 000002
【特許請求の範囲】
【請求項１】
被検眼眼底に測定指標を投影し、眼底からの反射光に基づいて被検眼の屈折力を他覚的に測定する測定手段を有する眼屈折力装置において、被検眼にレンズを介して視標を呈示する視標呈示手段であって、その視標の呈示距離を可変する視標呈示手段と、該視標呈示手段による視標の呈示位置を、前記測定手段による他覚測定値を基に球面成分のみを矯正した状態に相当する位置と非矯正状態に相当する位置とに切り換える切換手段と、を設けたことを特徴とする眼屈折力装置。
【請求項２】
請求項１の眼屈折力装置において、乱視を持つ被検眼の場合の矯正状態には、他覚測定値の等価球面度数又は強主経線の球面度数を用いることを特徴とする眼屈折力装置。
【請求項３】
請求項１の眼屈折力装置において、前記視標呈示手段は眼屈折力測定時に被検眼に雲霧を掛ける雲霧手段として使用する手段であり、前記視標はその中央部に雲霧時に視認させる固視目標と、視標の呈示位置を変えたときにそのボケ具合を容易に認識可能な視標パターンを前記固視目標の周辺に持つことを特徴とする眼屈折力装置。
【請求項４】
請求項１の眼屈折力装置において、前記切換手段を使用するときの呈示視標の基準位置を遠用位置と近用位置とに変更可能にしたことを特徴とする眼屈折力装置。
【請求項５】
請求項１の眼屈折力装置において、前記測定手段により測定された複数の測定結果を記憶する記憶手段と、該記憶手段に記憶された測定結果が所定の条件を満たすときに、前記切換手段を使用可能なモードに自動的に移行する移行手段と、を備えることを特徴とする眼屈折力装置。
【請求項６】
請求項１の眼屈折力装置において、前記非矯正状態は、被検眼が裸眼状態又は前眼鏡度数の矯正状態としたことを特徴とする眼屈折力装置。
【請求項７】
請求項１の眼屈折力装置において、前記視標呈示手段により呈示する視標の基準位置を所定の近用位置に変更する手段と、所定の近用位置に置かれた視標の位置を他覚測定値に所定の加入度を加えた矯正状態での位置と加入度を加えていない矯正状態での位置とに切り換える手段と、を備えることを特徴とする眼屈折力装置。
【発明の詳細な説明】
【０００１】
【発明の属する技術分野】
本発明は、被検眼の屈折力を他覚的に測定する眼屈折力測定装置に関する。
【０００２】
【従来技術】
被検眼が持つ屈折力を他覚的に測定する装置に自覚測定機能を付加し、１台の装置で他覚と自覚の両方の測定を可能にした装置が提案されている（特許文献１参照）。この装置によれば、自覚測定機能を使って矯正状態と裸眼状態の見え方の比較を容易に行うことができる。自覚測定機能は、例えば、自覚測定用の視標を呈示する視標呈示光学系に、互いに焦点距離の等しい、正の円柱レンズを配置し、互いに独立して、光軸中心に同一方向又は反対方向に同量だけ回転することにより、乱視成分をも矯正可能にしている。
【０００３】
【特許文献１】
実公平６−１２７２９号公報
【０００４】
【発明が解決しようとする課題】
しかし、見え方の比較をするために他覚測定機能に加えて自覚測定機能を付加することは、装置製造上のコストが掛かるし、装置の複雑化、大型化が伴う。装置製造時の調整にも多大な時間が掛かっていた。
また、従来の装置による見え方比較は遠用処方での比較であり、実際の生活での近用での見え方比較は行っていなかった。さらに、見え方比較は検者の判断で行っていたため、見え方比較の実施にバラつきがあると共に、効果が無いにも拘わらず、無駄に実施される場合もあった。
【０００５】
本発明は、上記従来技術に鑑み、装置を複雑化、コスト高にすることなく、効果の高い見え方の比較を実現することができる眼屈折力測定装置を提供することを技術課題とする。また、近用での見え方比較も可能であり、見え方の比較の実施を適切に行える眼屈折力測定装置を提供することを技術課題とする。
【０００６】
【課題を解決するための手段】
上記課題を解決するために、本発明は以下のような構成を備えることを特徴とする。
（１）　被検眼眼底に測定指標を投影し、眼底からの反射光に基づいて被検眼の屈折力を他覚的に測定する測定手段を有する眼屈折力装置において、被検眼にレンズを介して視標を呈示する視標呈示手段であって、その視標の呈示距離を可変する視標呈示手段と、該視標呈示手段による視標の呈示位置を、前記測定手段による他覚測定値を基に球面成分のみを矯正した状態に相当する位置と非矯正状態に相当する位置とに切り換える切換手段と、を設けたことを特徴とする。
（２）　（１）の眼屈折力装置において、乱視を持つ被検眼の場合の矯正状態には、他覚測定値の等価球面度数又は強主経線の球面度数を用いることを特徴とする。
（３）　（１）の眼屈折力装置において、前記視標呈示手段は眼屈折力測定時に被検眼に雲霧を掛ける雲霧手段として使用する手段であり、前記視標はその中央部に雲霧時に視認させる固視目標と、視標の呈示位置を変えたときにそのボケ具合を容易に認識可能な視標パターンを前記固視目標の周辺に持つことを特徴とする。
（４）　（１）の眼屈折力装置において、前記切換手段を使用するときの呈示視標の基準位置を遠用位置と近用位置とに変更可能にしたことを特徴とする。
（５）　（１）の眼屈折力装置において、前記測定手段により測定された複数の測定結果を記憶する記憶手段と、該記憶手段に記憶された測定結果が所定の条件を満たすときに、前記切換手段を使用可能なモードに自動的に移行する移行手段と、を備えることを特徴とする。
（６）　（１）の眼屈折力装置において、前記非矯正状態は、被検眼が裸眼状態又は前眼鏡度数の矯正状態としたことを特徴とする。
（７）　（１）の眼屈折力装置において、前記視標呈示手段により呈示する視標の基準位置を所定の近用位置に変更する手段と、所定の近用位置に置かれた視標の位置を他覚測定値に所定の加入度を加えた矯正状態での位置と加入度を加えていない矯正状態での位置とに切り換える手段と、を備えることを特徴とする。
【０００７】
【発明の実施の形態】
以下、本発明の実施形態を図面に基づいて説明する。図１は装置の外観略図である。１は基台、２は被検眼の顔を固定するための顔固定ユニットである。３は本体部、４は後述する光学系が収納された測定部であり、本体部３はジョイスティック５の操作により基台１の水平面上を前後左右に摺動し、また、ジョイスティック５の回転ノブ５ａを回転操作することにより測定部４は本体部３に対して上下方向に移動する。ジョイスティック５の頂部には測定開始スイッチ６が設けられている。７は被検眼の前眼部像や各種情報を表示するＴＶモニタでる。８はスイッチ部であり、後述する見え方比較ボタン８ａ、近用ボタン８ｂ等の各種のスイッチが配置されている。
【０００８】
図２は光学系の概略構成図である。１１は赤外領域に波長を持つ２個の測定用光源であり、光軸を中心に回転可動に配置されている。１２は集光レンズである。１３は測定用指標（スポット開口）を有し、被検眼Ｅの眼底と共役な位置に配置されるべく移動可能な測定用ターゲット板である。１４は投影レンズ、１５ａ及び１５ｂはビームスプリッタである。１７は対物レンズ、３１はビームスプリッタ、１６はミラー、１８、１９はリレーレンズ、２０は被検眼Ｅの角膜と共役な位置に配置されている帯状の角膜反射除去マスク、２１はターゲット板１３とともに移動する移動レンズ、２２は結像レンズである。２３は測定用受光素子であり、測定用受光素子２３は測定用光源１１及び角膜反射除去マスク２０と同期して光軸を中心に回動する。
【０００９】
３０は固視標呈示光学系を表す。３２は光軸上を移動可能な第１リレーレンズ、３３は第２リレーレンズ、３４は第２リレーレンズ３３の焦点位置に配置されている固視標、３５は集光レンズ、３６は照明ランプである。第１リレーレンズ３２は光軸上を移動することによって固視標３４（視標像）の呈示位置（距離）を光学的に変化させる。その移動は、被検眼の球面屈折力と比例関係にあり、球面成分の矯正が可能である。なお、測定時には、第１リレーレンズ３２の移動により被検眼の調節除去の雲霧を行う。固視標３４の呈示位置の変更は、固視標３４、集光レンズ３５、照明ランプ３６をセットで光軸方向に移動する構成であっても良い。
【００１０】
図３は、固視標３４の視標パターンの例を示す。固視標３４は、中心部分に黒塗りされた円パターン部７０、中心部分から１５度おきに設けられたラインパターンの放射線部７１、時計のように１から１２まで配置された文字部７２から構成されている。視標パターンを細いラインや文字とすることにより、固視標の呈示位置を変えたときに、容易にそのボケ具合を認識できる。見え方比較用の視標パターンは、０．２５Ｄ（ディオプタ）の矯正屈折力に相当する位置の違いで、そのボケ具合が容易に認識できるものが好ましい。文字部７２の各文字の大きさは、遠用距離にて視力値０．３や０．７に相当するものにしておくとで、被検者の見え方の比較における説明がし易くなる。一方、円パターン部７０は、屈折力測定時の雲霧状態において他の視標パターン部がぼやけたときでも固視目標として視認でき、視線がずれないようにするために太く、大きく、はっきりしたものが良い。また、放射線部７１と文字部７２とは、目立つように異なる色にしても良い。
【００１１】
４０は視軸方向からアライメント指標を投影する指標投影光学系を示す。４１は赤外光の光を出射する点光源である。点光源４１を出射した光束は、ビームスプリッタ４２で反射した後、ダイクロイックミラー３１を介して、対物レンズ１７により平行光束となり、ビームスプリッタ１５ａで反射し、測定光軸に沿って被検眼Ｅの正面から指標を投影する。
【００１２】
４５は観察光学系を示す。図示無き照明光源により照明された被検眼前眼部像及び指標投影光学系４０により投影されたアライメント指標像はビームスプリッタ１５ｂで反射された後、対物レンズ４６、ミラー４７を介してＣＣＤカメラ４８に撮像される。また、観察光学系４５は被検眼Ｅに投影されたアライメント指標を検出するアライメント指標検出光学系を兼ねることもできる。
【００１３】
図４は装置の制御系の概略構成図である。ＣＣＤカメラ４８からの映像信号は、表示回路５１で生成される文字や図形信号とともに合成回路５２で合成され、ＴＶモニタ７に表示される。５０は制御部であり、受光素子２３、スイッチ部８、測定用光源１１、測定用光源１１及び受光素子２３を回動するモータ５６、測定用ターゲット板１３及びレンズ２１を移動するモータ５７、第１リレーレンズ３２を移動するモータ５８、ターゲット板１３の移動位置を検出するポテンショメータ６０、メモリ６２等が接続されている。また、制御部５０には、インターフェイス部６５を介して、レンズメータ６６が電気的に接続可能である。
【００１４】
以上のような構成を備える装置について、以下にその動作を説明する。被検眼を、顔固定ユニット２を使用して所定の位置に固定した後、モニタ８に表示される前眼部像を観察し、指標投影光学系４０によるアライメント指標像とレチクル像とが所定の関係になるように、ジョイスティック５及び回転ノブ５ａを操作してアライメントを行う。アライメントが完了したら測定開始スイッチ６を押して測定を行う。なお、測定の実行については、ＣＣＤカメラ４８により検出されるアライメント指標像が所定の許容範囲にあるか否かを制御部５０が判断し、測定開始のトリガ信号を制御部５０が自動的に発して行う構成（オートショット）とすることもできる。
【００１５】
測定用光源１１を出射した測定光は、集光レンズ１２、ターゲット板１３、投影レンズ１４、ビームスプリッタ１５ａ及び１５ｂを経て被検眼Ｅの角膜近傍に集光した後、眼底に到達する。正常眼の場合、眼底で反射したターゲット像はビームスプリッタ１５ａで反射し、対物レンズ１７、ビームスプリッタ３１を通過後、ミラー１６でもう一度反射され、リレーレンズ１８、１９を通過し、結像レンズ２２によって受光素子２３上で結像する。被検眼に屈折異常がある場合は、受光素子２３で受光した眼底反射光の受信信号に基づき、モータ５７を駆動して移動レンズ２１とともにターゲット板１３を被検眼Ｅの眼底と共役な位置にくるように移動させる。
【００１６】
次に、モータ５８の駆動により第１リレーレンズ３２を移動して固視標３４と被検眼Ｅの眼底とを共役な位置においた後、さらに適当なディオプタ分だけ雲霧が掛かるように第１リレーレンズ３２を移動させる。被検眼Ｅに雲霧の掛かった状態で、測定用光源１１、角膜反射除去マスク２０、及び受光素子２３を光軸回りに１８０度回転させる。回転中、受光素子２３からの信号によりターゲット板１３及び移動レンズ２１が移動し、その移動量をポテンショメータ６０が検出して各経線方向の屈折力値を求める。制御部５０は、この屈折力に所定の処理を施すことによって被検眼のＳ（球面屈度数）、Ｃ（乱視度数）、Ａ（乱視軸角度）の他覚値を得る。
【００１７】
このような測定を同一被検眼で複数回行う。例えば、測定エラーを除いた５個の測定結果が得られるまで測定を繰り返す。複数回の測定は、検者が測定開始スイッチ６を都度押すようにしても良いし、一回のトリガ信号により５個の測定結果が得られるまで測定を繰り返す構成としても良い（オートショットの場合を含む）。制御部５０は複数回の測定により得られた結果をメモリ６２に記憶した後、その記憶された測定結果に所定の統計処理を施して代表値を求める。代表値は、例えば、複数の測定結果の等価球面値を大小の順に並べ替え、その中央の値を採用する。また、制御部５０は代表値と各測定値（Ｓ，Ｃ，Ａ）との差が所定の基準以内にあるか否かにより、測定結果が安定しているかを判断する。例えば、球面度数Ｓ，乱視度数Ｃについては、０．５Ｄ以内にあれば安定しているとする。乱視軸角度Ａについては、２０°以内のときに安定していると判断する。１回のトリガ信号で測定を繰り返す構成においては、安定していると判断される測定結果が５個に満たない場合は、安定している測定結果が５個得られるまで追加測定を繰り返す。制御部５０は、安定している測定結果が５個得られたならば、測定モードを終了し、矯正状態と非矯正状態での視標の見え方を比較するコンペアモードに移行する。
【００１８】
コンペアモードの動作を説明する。コンペアモードは、遠用での見え方を比較するモード（遠用コンペアモード）と、近用での見え方を比較するモード（近用コンペアモード）と、近用状態で加入度を付与した場合の見え方を比較するモード（加入度コンペアモード）と、が用意されている。
【００１９】
初めに、遠用での見え方を比較する遠用コンペアモードに入る。モニタ７にコンペアモードとなった旨を検者に知らせるために、図５のように、「ＣＯＭＰＡＲＥ」という文字１００が表示される。そして、他覚測定の代表値に基づいた矯正状態にて被検眼が固視標３２を見られるように、第１リレーレンズ３２が移動される。このとき、代表値にＣ（乱視度数）がある場合は、等価球面値ＳＥ（＝Ｓ＋Ｃ／２）に相当する位置に固視標３２が移動するように、第１リレーレンズ３２が移動される。これにより被検眼は眼鏡等の矯正レンズを装用したクリアな状態での見え方を体感することができる。モニタ７の画面には、現在の矯正光学系が矯正状態であることを示す「ＡＲ」文字１０１が点滅表示される。「ＡＲ」文字１０１の横には、代表値のＳ、Ｃ、Ａが表示されている。
【００２０】
続いて、検者がスイッチ部８の見え方比較ボタン８ａを押すと、固視標３２が遠用コンペアモードの基準位置（矯正状態が０Ｄ＝無限遠又は遠用距離５ｍ）、すなわち裸眼状態の位置となるように第１リレーレンズ３２が移動される。ここでは、被検者が眼鏡装用の経験が無く、非矯正状態が裸眼であるものとする。モニタ７の表示は、現在の矯正光学系が裸眼状態であることを示す「ＡＣ」文字１０２が点滅表示される。これにより、被検眼は裸眼状態での見え方を体感できる。ボタン８ａを押すたびに、矯正状態と裸眼状態とが交互に切換わるので、被検者はその見え方の違いを容易に理解でき、眼鏡等の有用性を感じ取ることができる。
【００２１】
なお、他覚測定の代表値に乱視がある場合、等価球面値ＳＥでの矯正状態よりも、強主経線の球面度数（最強球面度数）での矯正状態の方が、非矯正状態に対する見え方の差が大きく出る場合が多いので、より効果的である。等価球面値ＳＥするか、強主経線の球面度数にするかは、スイッチ部８のスイッチにより切換え可能にしておくと都合が良い。
【００２２】
本装置では、乱視の矯正を行わずに、固視標呈示光学系を使用して球面成分のみの矯正状態で見え方の比較を行うので、図３のように、固視標３４に放射線パターン部７１を設けておくと特に都合が良い。乱視眼の場合は放射線の方向によってはっきり見えたり、見えなかったりするので、自分の眼における乱視の有無を認識することができる。軽度の乱視の場合は、その存在に気付かない場合もあるので、コンペアモードによる見え方の比較により、被検者に乱視矯正の必要性を気付かせることができるようになる。
【００２３】
レンズメータ６６がケーブル等で接続されている場合は、レンズメータ６６で予め測定した前眼鏡値（Ｓ，Ｃ，Ａ）のデータを眼屈折力測定装置側に転送して入力しておく。メモリ６２に前眼鏡のデータが記憶される。レンズメータ６６によるデータ転送は、ケーブルによる通信のみでなく、例えばＩＣカードリーダ／ライダを両装置に取り付け、ＩＣカードを介して行う方法でも良い。あるいは、スイッチ部８のスイッチ操作により、前眼鏡値のデータを入力する方法でも良い。前眼鏡値の屈折力データが入力されている場合は、モニタ７の画面表示の文字１０２は前眼鏡値を示す「ＬＭ」の文字に変わり、その横に前眼鏡値が表示される。また、非矯正状態の屈折力は前眼鏡値とされ、他覚測定による矯正状態と前眼鏡値による矯正状態との見え方の比較ができるようになる。ボタン８ａを押すたびに、その２つの状態が切換わる。非矯正状態においても、前眼鏡値の等価球面値ＳＥに相当する位置に視標が位置するように、第１リレーレンズ３２が移動される。現在使用している眼鏡を作ってから月日が経っている場合は、前眼鏡値に対して被検眼の屈折力が変化している場合が多い。被検者は、他覚測定の代表値を基にした矯正状態におけるクリアな見え方を体感することにより、眼鏡等を作り直す有用性を感じ取ることができる。
【００２４】
また、前眼鏡値が入力されている場合は、スイッチ８ａを押すたびに、他覚測定値に基づく矯正状態と、前眼鏡値に基づく矯正状態と、裸眼状態との３つを比較できるようにしても良い。また、見え方比較ボタン８ａを被検者側にも配置し、被検者自身が操作できるようにしたり、ボタン操作でなく一定時間ごとに自動的に切り換わるようにしても良い。さらに、切り換わったことが分かるように被検眼から見える位置に色違いのＬＥＤ等を点灯させたり、音声ガイドにて被検者に説明するようにしても良い。
【００２５】
ここで、比較対象となる裸眼状態や前眼鏡値での矯正状態に対して他覚測定値に基づく矯正状態の差が少ない場合（球面度数の差が０．２５Ｄ以下の場合）は、見え方の比較をしても効果が薄いことがある。この場合、制御部５０は他覚測定の終了後に測定モードからコンペアモードに入らない様にし、測定モードのままとする。もちろん、測定モードとコンペモードの切り換えは、スイッチ８部のスイッチ操作によっても行える
次に、近用での見え方を比較する近用コンペアモードを説明する。遠用コンペアモードに入った後、スイッチ部８の近用ボタン８ｂを押すと、近用コンペアモードに移行する。モニタ７の画面には、近用コンペアモードである旨のメッセージが表示される。近用コンペアモードでは、第１リレーレンズ３２の移動により、固視標３４の基準位置が光学的に３５ｃｍ（設定で任意に変更も可能である）の近用位置とされる。この近用位置での見え方の比較ができるようになる。ここで、比較用のボタン８ａを押すと、他覚測定値に基づく矯正状態と裸眼状態（又は前眼鏡での矯正状態）が切換わる。これにより、被検者は近用での眼鏡等の有用性を体感できる。他覚測定値に基づく矯正状態では、３５ｃｍの視標呈示に対して、さらにその矯正量分（等価球面値ＳＥ又は最強球面度数）が付与されるように、第１リレーレンズ３２が移動される。
【００２６】
遠視眼の場合、遠用位置に置かれた固視標３４では、調節力が働いて非矯正状態でも固視標３４が簡単に見えてしまうが、固視標３４を近用位置に位置させて見せると、調節力をより働かせる必要があり、苦労する。したがって、遠視眼においては、特にこの近用位置での見え方の比較をすることにより、より眼鏡等の有用性を感じることができる。
【００２７】
また、老眼等で調節力の少ない被検眼の場合は、近用位置に呈示される視標がボケて見えない場合が多い。被検者が見えないと訴えた場合は、近用ボタン８ｂを１秒以上押しつづけることにより、加入度コンペアモードに入る。モニタ７の画面には加入度コンペアモードに切換わった旨のメッセージが表示される。このモードでは、近用の３５ｃｍの固視標呈示に対して、他覚測定値の矯正量分（等価球面値ＳＥ又は最強球面度数）が付与された状態と、さらにそれに所定の加入度数が加えられた状態とに、リレーレンズ３２の移動により固視標３４の呈示位置が切換えられる。加入度数は初めに１Ｄ分が加えられているが、近用ボタン８ｂを押す度に２Ｄ分、３Ｄ分と順に変わる。さらに近用ボタン８ｂを押すと、１Ｄ分の加入度の状態に戻る。モニタ７には、現在どれだけの加入度が加えられているかが表示される。加入度を設定した後、見え方比較用のボタン８ａを押すと、加入度を加えた状態と、加入度を加えていない状態とが切換えられる。これにより、被検者は加入度の入った多焦点レンズや累進レンズの有用性を感じ取ることができる。
【００２８】
また、レンズメータで測定した前眼鏡データに加入度のデータが含まれている場合は、その加入度が設定される。この場合、他覚測定値の矯正量分に前眼鏡の加入度が加えられた状態と、さらにそれに所定の加入度が加えられた状態とに切換えられるようにしても良い。また、被検者の年齢を入力することで、その年齢の平均的な加入度が設定されるようにしても良い。
【００２９】
以上のようにコンペアモードにより視標の見え方の比較をした後、プリントスイッチの信号又は被検眼の左右切換信号が入力されると、コンペアモードから抜けて測定モードに戻る。
【００３０】
以上の実施形態ではコンペアモードのときに呈示する視標と測定時の固視標を共用としたが、固視標は風景チャートとし、コンペアモードのときに図３のような視標を切り換える構成であっても良い。
【００３１】
【発明の効果】
以上説明したように、本発明によれば、装置を複雑化、コスト高にすることなく、効果の高い見え方の比較を実現することができ、被検者に矯正具の必要性をアピールできる。また、遠用での見え方比較のみでなく、近用での見え方比較も行える。また、見え方の比較の実施を適切に行うことができる。
【図面の簡単な説明】
【図１】装置の外観略図である。
【図２】光学系の概略構成図である。
【図３】固視標の視標パターンの例を示す図である。
【図４】装置の制御系の概略構成図である。
【図５】コンペアモードにおけるモニタの表示例である。
【符号の説明】
８　スイッチ部
１１　測定用光源
２３　測定用受光素子
３０　固視標呈示光学系
３２　第１リレーレンズ
３４　固視標
５０　制御部
７０　円パターン部
７１　放射線部
７２　文字部
【図１】
2004129711.tif 000003
【図２】
2004129711.tif 000004
【図３】
2004129711.tif 000005
【図４】
2004129711.tif 000006
【図５】
2004129711.tif 000007